【手続補正書】
【提出日】平成18年2月1日(2006.2.1)
【手続補正１】
【補正対象書類名】明細書
【補正対象項目名】特許請求の範囲
【補正方法】変更
【補正の内容】
【特許請求の範囲】
【請求項１】  収納位置と突出位置とに移動可能なレンズ鏡筒において、
メスヘリコイドを有する第１の枠と、
上記第１の枠に対し光軸方向に進退可能であって、上記メスヘリコイドと螺合するオスヘリコイドを有する第２の枠と、
上記第１の枠に設けられ、上記突出位置にて上記第２の枠の光軸方向の位置を規制する位置規制溝と、
を具備し、上記オスヘリコイドの一部を形成するねじ山部が上記位置規制溝に嵌合することにより、上記第２の枠の上記第１の枠に対する光軸方向の位置が規制されることを特徴とするレンズ鏡筒。
【請求項２】  収納位置と突出位置とに移動可能なレンズ鏡筒において、
メスヘリコイドを有する第１の枠と、
上記第１の枠に対し光軸方向に進退可能であって、上記メスヘリコイドに螺合するオスヘリコイドを有する第２の枠と、
上記第２の枠に設けられ、上記突出位置にて上記第２の枠の上記第１の枠に対する光軸方向の位置を規制する位置規制突起と、
上記第１の枠に設けられ、上記第２の枠が上記突出位置にある際に上記位置規制突起が嵌合可能な第２の枠用位置規制溝と、
上記第１の枠に設けられ、上記メスヘリコイドと略同一のリード角を有し、上記位置規制突起が挿通可能な位置規制突起案内溝と、
を具備することを特徴とするレンズ鏡筒。
【請求項３】  上記位置規制突起は、上記オスヘリコイドの山部に比して、その幅が広いことを特徴とする請求項２に記載のレンズ鏡筒。
【請求項４】  上記位置規制突起は、上記メスヘリコイドの谷部に比して、その幅が広いことを特徴とする請求項２または３に記載のレンズ鏡筒。
【請求項５】  上記位置規制突起は、上記オスヘリコイドの山部に比して、その高さが高いことを特徴とする請求項２、３、４の何れかに記載のレンズ鏡筒。
【請求項６】  上記第２の枠用位置規制溝内に上記オスヘリコイドの山部が挿通可能なことを特徴とする請求項２に記載のレンズ鏡筒。
【請求項７】  上記第１の枠は位置規制突起案内部を有し、該位置規制突起案内部は上記位置規制突起案内溝の壁部を形成するとともに、上記第２の枠用位置規制溝内にも形成されることを特徴とする請求項２に記載のレンズ鏡筒。
【請求項８】  上記オスヘリコイドの山高さは上記位置規制突起よりも低く形成されるとともに、上記オスヘリコイドの山部は上記第２の枠用位置規制溝内に挿通されることを特徴とする請求項７に記載のレンズ鏡筒。
【請求項９】  上記位置規制突起案内部は上記第２の枠用位置規制溝内において、上記オスヘリコイドねじの山部が挿通可能な挿通部を有することを特徴とする請求項８に記載のレンズ鏡筒。
【請求項１０】  収納位置と突出位置とに移動可能なレンズ鏡筒において、
メスヘリコイドを有する第１の枠と、
上記第１の枠に対し光軸方向に進退可能であって、上記メスヘリコイドに螺合するオスヘリコイドを有する第２の枠と、
上記第１の枠に設けられ、上記メスヘリコイドと略同じリード角を有する位置規制用メスヘリコイドと、
上記第２の枠に設けられ、上記位置規制用メスヘリコイドと螺合する位置規制用オスヘリコイドと、
上記第１の枠に設けられ、上記第２の枠が上記突出位置にある際に上記位置規制用オスヘリコイドが嵌合可能な第２の枠用位置規制溝と、
を有することを特徴とするレンズ鏡筒。
【請求項１１】  上記位置規制用オスヘリコイドは、他のオスヘリコイドに比して、その山幅が広く形成されることを特徴とする請求項１０に記載のレンズ鏡筒。
【請求項１２】  上記位置規制用オスヘリコイドの山幅は、上記メスヘリコイドの谷幅よりも広く形成されることを特徴とする請求項１０または１１に記載のレンズ鏡筒。
【請求項１３】  上記第２の枠用位置規制溝は、上記第１の枠の内周に突設された壁部と、上記メスヘリコイドを形成する山部とにより形成されることを特徴とする請求項１０に記載のレンズ鏡筒。
【請求項１４】  上記第１の枠の内周に突設して設けられ、上記第２の枠用位置規制溝の一部を形成する壁部と、
上記第１の枠に設けられ、上記位置規制用メスヘリコイドを形成する山部であって上記位置規制用オスヘリコイドを案内する位置規制用オスヘリコイド案内部と、
を有し、該位置規制用オスヘリコイド案内部は、上記第２の枠用位置規制溝を通り上記壁部まで連続して形成されることを特徴とする請求項１０または１３に記載のレンズ鏡筒。
【請求項１５】  上記位置規制用オスヘリコイド案内部は、上記第２の枠用位置規制溝内に上記オスヘリコイドが挿通可能なオスヘリコイド挿通部を有することを特徴とする請求項１４に記載のレンズ鏡筒。
【請求項１６】  収納位置と突出位置とに移動可能なレンズ鏡筒において、
第１の枠と、
上記第１の枠に対し光軸方向に進退可能であって、外周上に位置規制突起が設けられた第２の枠と、
上記第１の枠に設けられ、上記位置規制突起が係合し上記第２の枠を上記収納位置と突出位置との間で案内する位置規制突起案内溝と、
上記第１の枠に設けられ、上記突出位置にて上記第２の枠の光軸方向の位置を規制する第２の枠用位置規制溝と、
上記第２の枠の外周上であって、光軸方向で上記位置規制突起が配設される周部上の所定領域部分に配されるギヤ部と、
を具備し、上記ギヤ部を介して上記第２の枠を回転させることで、収納位置と突出位置との間で進退駆動され、この突出位置で上記ギヤ部を介して上記第２の枠を回転させることで変倍動作を行うことを特徴とするレンズ鏡筒。
【請求項１７】  上記第２の枠用位置規制溝は、上記第１の枠の内周に円周方向に沿って形成されることを特徴とする請求項１６に記載のレンズ鏡筒。
【請求項１８】  上記レンズ鏡筒内に配され、撮影光学系の一部を構成し、変倍動作時に光軸方向に変位する変倍光学系を具備し、
上記第２の枠に設けられたカム溝によりこの変倍光学系が光軸方向に変位されることを特徴とする請求項１６に記載のレンズ鏡筒。
【請求項１９】  上記レンズ鏡筒内に配される撮影光学系の他の一部と、
上記撮影光学系からの光束を受光する撮像素子と、を具備し、
上記撮影光学系の他の一部と撮像素子は上記第１の枠に対し直接的または間接的に固定されることを特徴とする請求項１８に記載のレンズ鏡筒。
【請求項２０】  上記撮影光学系の他の一部は、上記変倍光学系の光路に対し挿脱可能に支持されることを特徴とする請求項１９に記載のレンズ鏡筒。
【手続補正２】
【補正対象書類名】明細書
【補正対象項目名】００２４
【補正方法】変更
【補正の内容】
【００２４】
また、本発明によるレンズ鏡筒は、収納位置と突出位置とに移動可能なレンズ鏡筒において、メスヘリコイドを有する第１の枠と、上記第１の枠に対し光軸方向に進退可能であって、上記メスヘリコイドに螺合するオスヘリコイドを有する第２の枠と、上記第２の枠に設けられ、上記突出位置にて上記第２の枠の上記第１の枠に対する光軸方向の位置を規制する位置規制突起と、上記第１の枠に設けられ、上記第２の枠が上記突出位置にある際に上記位置規制突起が嵌合可能な第２の枠用位置規制溝と、上記第１の枠に設けられ、上記メスヘリコイドと略同一のリード角を有し、上記位置規制突起が挿通可能な位置規制突起案内溝とを具備することを特徴とし、また、上記位置規制突起は、上記オスヘリコイドの山部に比して、その幅が広いことを特徴とし、さらに、上記位置規制突起は、上記メスヘリコイドの谷部に比して、その幅が広いことを特徴とし、また、上記位置規制突起は、上記オスヘリコイドの山部に比して、その高さが高いことを特徴とし、さらに、上記第２の枠用位置規制溝内に上記オスヘリコイドの山部が挿通可能なことを特徴とし、また、上記第１の枠は位置規制突起案内部を有し、該位置規制突起案内部は上記位置規制突起案内溝の壁部を形成するとともに、上記第２の枠用位置規制溝内にも形成されることを特徴とし、さらに、上記オスヘリコイドの山高さは上記位置規制突起よりも低く形成されるとともに、上記オスヘリコイドの山部は上記第２の枠用位置規制溝内に挿通されることを特徴とし、また、上記位置規制突起案内部は上記第２の枠用位置規制溝内において、上記オスヘリコイドねじの山部が挿通可能な挿通部を有することを特徴とする。
【手続補正３】
【補正対象書類名】明細書
【補正対象項目名】００２５
【補正方法】変更
【補正の内容】
【００２５】
さらに、本発明によるレンズ鏡筒は、収納位置と突出位置とに移動可能なレンズ鏡筒において、メスヘリコイドを有する第１の枠と、上記第１の枠に対し光軸方向に進退可能であって、上記メスヘリコイドに螺合するオスヘリコイドを有する第２の枠と、上記第１の枠に設けられ、上記メスヘリコイドと略同じリード角を有する位置規制用メスヘリコイドと、上記第２の枠に設けられ、上記位置規制用メスヘリコイドと螺合する位置規制用オスヘリコイドと、上記第１の枠に設けられ、上記第２の枠が上記突出位置にある際に上記位置規制用オスヘリコイドが嵌合可能な第２の枠用位置規制溝とを有することを特徴とし、また、上記位置規制用オスヘリコイドは、他のオスヘリコイドに比して、その山幅が広く形成されることを特徴とし、さらに、上記位置規制用オスヘリコイドの山幅は、上記メスヘリコイドの谷幅よりも広く形成されることを特徴とし、また、上記第２の枠用位置規制溝は、上記第１の枠の内周に突設された壁部と、上記メスヘリコイドを形成する山部とにより形成されることを特徴とし、さらに、上記第１の枠の内周に突設して設けられ、上記第２の枠用位置規制溝の一部を形成する壁部と、上記第１の枠に設けられ、上記位置規制用メスヘリコイドを形成する山部であって上記位置規制用オスヘリコイドを案内する位置規制用オスヘリコイド案内部と、を有し、該位置規制用オスヘリコイド案内部は、上記第２の枠用位置規制溝を通り上記壁部まで連続して形成されることを特徴とし、また、上記位置規制用オスヘリコイド案内部は、上記第２の枠用位置規制溝内に上記オスヘリコイドが挿通可能なオスヘリコイド挿通部を有することを特徴とする。
さらに、本発明によるレンズ鏡筒は、収納位置と突出位置とに移動可能なレンズ鏡筒において、第１の枠と、上記第１の枠に対し光軸方向に進退可能であって、外周上に位置規制突起が設けられた第２の枠と、上記第１の枠に設けられ、上記位置規制突起が係合し上記第２の枠を上記収納位置と突出位置との間で案内する位置規制突起案内溝と、上記第１の枠に設けられ、上記突出位置にて上記第２の枠の光軸方向の位置を規制する第２の枠用位置規制溝と、上記第２の枠の外周上であって、光軸方向で上記位置規制突起が配設される周部上の所定領域部分に配されるギヤ部と、を具備し、上記ギヤ部を介して上記第２の枠を回転させることで、収納位置と突出位置との間で進退駆動され、この突出位置で上記ギヤ部を介して上記第２の枠を回転させることで変倍動作を行うことを特徴とし、また、上記第２の枠用位置規制溝は、上記第１の枠の内周に円周方向に沿って形成されることを特徴とし、また、上記レンズ鏡筒内に配され、撮影光学系の一部を構成し、変倍動作時に光軸方向に変位する変倍光学系を具備し、上記第２の枠に設けられたカム溝によりこの変倍光学系が光軸方向に変位されることを特徴とし、また、上記レンズ鏡筒内に配される撮影光学系の他の一部と、上記撮影光学系からの光束を受光する撮像素子と、を具備し、上記撮影光学系の他の一部と撮像素子は上記第１の枠に対し直接的または間接的に固定されることを特徴とし、また、上記撮影光学系の他の一部は、上記変倍光学系の光路に対し挿脱可能に支持されることを特徴とする。